(57)【特許請求の範囲】
【請求項１】
開閉自在な連通部を介して屋内に連通すると共に当該連通部よりも上方で排気部を介して屋外に連通するボイド空間を設けた建物において、屋外に対する前記ボイド空間の温度差であるボイド空間温度差の減少に伴って前記連通部を閉鎖させる連通部閉鎖制御を実行する制御手段を備えた自然換気システムであって、
前記排気部が、屋外での風力により前記ボイド空間の空気を屋外に誘引するように構成され、
前記制御手段が、屋外の風速が所定の設定風速未満である低風速時には前記連通部閉鎖制御を実行し、屋外の風速が前記設定風速以上である高風速時には前記連通部閉鎖制御を実行せずに前記連通部を開放させる自然換気システム。
【請求項２】
前記建物が、複数階を有すると共に、当該複数階の夫々に前記連通部が設けられており、
前記制御手段が、前記連通部閉鎖制御において、前記ボイド空間温度差が所定の第１設定温度差以上である場合には前記複数階のうちの全階における前記連通部を開放させる全階連通部開放処理を実行し、前記ボイド空間温度差が前記第１設定温度差未満且つ当該第１設定温度差よりも小さい第２設定温度差以上である場合には前記複数階のうちの上層階における前記連通部を閉鎖させると共に当該上層階よりも下層側の下層階における前記連通部を開放させる上層連通部閉鎖処理を実行し、前記ボイド空間温度差が前記第２設定温度差未満である場合には前記複数階のうちの全階における前記連通部を閉鎖させる全階連通部閉鎖処理を実行する請求項１に記載の自然換気システム。
【請求項３】
前記建物が、排熱を発生すると共に当該排熱を前記ボイド空間に導入可能な排熱発生部を有し、
前記制御手段が、前記連通部閉鎖制御において、前記ボイド空間温度差が所定の設定温度差未満である場合に前記排熱発生部で発生した排熱を前記ボイド空間に導入させる排熱導入処理を実行する請求項１又は２に記載の自然換気システム。
【請求項４】
前記制御手段が、日中において前記排熱導入処理を実行し、夜間において前記連通部を開放させるパージ処理を実行する請求項３に記載の自然換気システム。
【発明の詳細な説明】
【技術分野】
【０００１】
本発明は、開閉自在な連通部を介して屋内に連通すると共に当該連通部よりも上方で排気部を介して屋外に連通するボイド空間を設けた建物において、屋外に対する前記ボイド空間の温度差であるボイド空間温度差の減少に伴って前記連通部を閉鎖させる連通部閉鎖制御を実行する制御手段を備えた自然換気システムに関する。
【背景技術】
【０００２】
従来、オフィスビルやマンション等の建物において、吹き抜け等のボイド空間を設け、このボイド空間に生じる上昇気流を利用して屋内の空気を屋外へ排出すると共に、外気を屋内に導入する所謂自然換気を行う自然換気システムが知られている（例えば特許文献１及び２を参照。）。
即ち、このような自然換気システムでは、屋外温度よりもボイド空間の温度が高くなることで、ボイド空間の空気の比重が屋外の空気よりも小さくなって、ボイド空間に上昇気流（自然対流）が発生する。そして、ボイド空間に上昇気流が発生すると、屋内の空気をボイド空間に取り込みながら、ボイド空間の空気を上方から屋外へ排出する換気を行うことができる。尚、ボイド空間において屋外に対する温度差に起因して発生する上昇気流を利用した自然換気を重力換気と呼ぶ場合がある。
【０００３】
特許文献１に記載の自然換気システムは、屋外に対するボイド空間の温度差が重力換気を行うのに十分なものではないと判断した場合には、ボイド空間上方の排気口やボイド空間下方の外気取入口をダンパにより閉じて、自然換気を中止するように構成されている。また、この自然換気システムでは、屋外の風速が大きい場合にも、屋内における一定以上の大きさの気流発生を回避するために自然換気が中止される。
【０００４】
特許文献２に記載の自然換気システムは、屋外に対するボイド空間の温度差を十分にとることができる夏季夜間や中間期において、屋内とボイド空間との連通部を開放させて、自然換気を行うように構成されている。更に、この自然換気システムは、夏季夜間や中間期において、機械室から排出される排熱空気をボイド空間に導入することで当該ボイド空間に上昇気流を発生させて、当該上昇気流を利用して重力換気を行うように構成されている。
【先行技術文献】
【特許文献】
【０００５】
【特許文献１】特開２０００−３２００３１号公報
【特許文献２】特開２００８−００２７７５号公報
【発明の概要】
【発明が解決しようとする課題】
【０００６】
上述のような従来の自然換気システムは、屋外に対するボイド空間の温度差が重力換気を行うのに十分なものではない場合には、例えば排熱をボイド空間に導入しない限り、ボイド空間を利用した自然換気を実行することができないため、十分な省エネルギー化が実現できない場合があった。
また、屋外に対するボイド空間の温度差が小さく、ボイド空間において生じる上昇気流が弱い場合には、屋外に連通する排気部に近いボイド空間の上層部において局所的に空気が降下する逆流が発生することがある。また、屋外に対するボイド空間の温度差が一層小さくなった場合には、ボイド空間の全体においてこのような逆流が発生することがある。そして、このようにボイド空間に逆流が発生した場合には、その逆流した空気が屋内に吹き込むことで、屋内の快適性が損なわれるという問題が生じる。
【０００７】
この実情に鑑み、本発明の主たる課題は、省エネルギー性を向上しながら、ボイド空間において上昇気流が不十分なことによるボイド空間から屋内への空気の逆流を防止して屋内の快適性の悪化を防止できる自然換気システムを実現する点にある。
【課題を解決するための手段】
【０００８】
本発明の第１特徴構成は、開閉自在な連通部を介して屋内に連通すると共に当該連通部よりも上方で排気部を介して屋外に連通するボイド空間を設けた建物において、屋外に対する前記ボイド空間の温度差であるボイド空間温度差の減少に伴って前記連通部を閉鎖させる連通部閉鎖制御を実行する制御手段を備えた自然換気システムであって、
前記排気部が、屋外での風力により前記ボイド空間の空気を屋外に誘引するように構成され、
前記制御手段が、屋外の風速が所定の設定風速未満である低風速時には前記連通部閉鎖制御を実行し、屋外の風速が前記設定風速以上である高風速時には前記連通部閉鎖制御を実行せずに前記連通部を開放させる点にある。
【０００９】
本構成によれば、ボイド空間の上方において屋外と連通する排気部では、屋外での風力によりボイド空間の空気を屋外に誘引することができる。このことで、ボイド空間温度差が比較的小さいためにボイド空間において当該温度差による重力換気に十分な上昇気流の発生が見込めない場合であっても、屋外の風速が比較的高い場合には、その排気部による誘引力によってボイド空間に上昇気流を生じさせて風力換気を行うことができる。
そこで、制御手段により、屋外の風速が所定の設定風速未満である低風速時には、重力換気の可否の指標となるボイド空間温度差に基づく上記連通部閉鎖制御が実行されるが、屋外の風速が前記設定風速以上である高風速時には、ボイド空間温度差に基づく上記連通部閉鎖制御が停止される。よって、高風速時においては、ボイド空間温度差に関係なく屋内とボイド空間とを連通する連通部を強制的に開放させて風力も利用した換気を実行することができる。
従って、本発明により、重力換気と風力換気とを適切に併用して省エネルギー性を向上しながら、ボイド空間において上昇気流が不十分なことによるボイド空間から屋内への空気の逆流を防止して屋内の快適性の悪化を防止できる自然換気システムを実現することができる。
【００１０】
本発明の第２特徴構成は、前記建物が、複数階を有すると共に、当該複数階の夫々に前記連通部が設けられており、
前記制御手段が、前記連通部閉鎖制御において、前記ボイド空間温度差が所定の第１設定温度差以上である場合には前記複数階のうちの全階における前記連通部を開放させる全階連通部開放処理を実行し、前記ボイド空間温度差が前記第１設定温度差未満且つ当該第１設定温度差よりも小さい第２設定温度差以上である場合には前記複数階のうちの上層階における前記連通部を閉鎖させると共に当該上層階よりも下層側の下層階における前記連通部を開放させる上層連通部閉鎖処理を実行し、前記ボイド空間温度差が前記第２設定温度差未満である場合には前記複数階のうちの全階における前記連通部を閉鎖させる全階連通部閉鎖処理を実行する点にある。
【００１１】
本構成によれば、ボイド空間温度差が非常に小さい第２設定温度差未満となった場合には、ボイド空間の全体において屋内への逆流が発生する可能性がある。そこで、上記連通部閉鎖制御において、ボイド空間温度差が第２設定温度差未満である場合には、上記全階連通部閉鎖処理が実行される。すると、全階におけるボイド空間への連通部が閉鎖される。このことで、全階においてボイド空間から屋内への逆流の発生を抑制することができる。
【００１２】
更に、ボイド空間温度差が上記第２設定温度差以上ではあるもののその第２設定温度差よりも大きい第１設定温度差未満である場合には、ボイド空間において屋外に連通する排気部に近い上層部において屋内への逆流が発生する可能性がある。そこで、上記連通部閉鎖制御において、ボイド空間温度差が第１設定温度差未満且つ第２設定温度差以上である場合には、上層連通部閉鎖処理が実行される。すると、上層階における連通部が閉鎖され、それよりも下層側の中層階や低層階等の下層階における連通部が開放される。このことで、上層階においてボイド空間から屋内への逆流の発生を抑制しながら、下層階において屋内空気を連通部からボイド空間に流入させて適切な重力換気を行うことができる。
【００１３】
そして、ボイド空間温度差が十分に大きい上記第１設定温度差以上となった場合には、ボイド空間の全体において適切な上昇気流が発生する。そこで、上記連通部閉鎖制御において、ボイド空間温度差が第１設定温度差以上である場合には、上記全階連通部開放処理が実行される。すると、全階におけるボイド空間への連通部が開放される。このことで、全階において屋内空気を連通部からボイド空間に流入させて適切な重力換気を行うことができる。
【００１４】
本発明の第３特徴構成は、前記建物が、排熱を発生すると共に当該排熱を前記ボイド空間に導入可能な排熱発生部を有し、
前記制御手段が、前記連通部閉鎖制御において、前記ボイド空間温度差が所定の設定温度差未満である場合に前記排熱発生部で発生した排熱を前記ボイド空間に導入させる排熱導入処理を実行する点にある。
【００１５】
本構成によれば、ボイド空間温度差が所定の設定温度差未満である場合には、上記排熱導入処理が実行されて、排熱発生部で発生した排熱がボイド空間に導入される。すると、ボイド空間に面する壁部等に排熱が蓄熱されるので、屋外に対するボイド空間の温度差であるボイド空間温度差を増加させることができる。よって、このような排熱導入処理の実行時や実行後において、開放された連通部から屋内空気をボイド空間に流入させて適切な重力換気を行うことができる。
【００１６】
本発明の第４特徴構成は、上記第３特徴構成に加えて、前記制御手段が、日中において前記排熱導入処理を実行し、夜間において前記連通部を開放させるパージ処理を実行する点にある。
【００１７】
本構成によれば、日中においては上記排熱導入処理が適時実行されてボイド空間温度差が増加されるので、後の夜間においてボイド空間温度差を大きい状態に維持することができる。そして、その夜間において上記パージ処理を実行して連通部が開放された際には、屋内空気を連通部からボイド空間に流入させて適切な重力換気を行うことができ、翌日において屋内を快適な状態に保つことができる。
【図面の簡単な説明】
【００１８】
【図１】本実施形態の自然換気システムを備えた建物の状態を示す図
【図２】第１実施形態での自然換気システムの運転制御の流れを示すフロー図
【図３】第１実施形態での連通部閉鎖制御のフロー図
【図４】第２実施形態での自然換気システムの運転制御の流れを示すフロー図
【図５】第２実施形態での連通部閉鎖制御のフロー図
【発明を実施するための形態】
【００１９】
本発明に係る自然換気システムの実施形態について図面に基づいて説明する。
図１に示すように、本実施形態の自然換気システムは、オフィスビルやマンション等の複数の階を有する中高層の建物１００に設けられている。
この建物１００には、建物１００の下層から上層にかけて延在するボイド空間２０が設けられている。かかるボイド空間２０は、開閉ダンパ１２により開閉自在な連通口１１（連通部の一例）を介して居室１０（屋内の一例）に連通すると共に当該連通口１１よりも上方で屋外排気口２１（排気部の一例）を介して屋外６０に連通する。
【００２０】
このようなボイド空間２０を備えた建物１００では、屋外温度よりもボイド空間２０の温度が高くなると、ボイド空間２０の空気の比重が屋外６０の空気よりも小さくなって、ボイド空間２０に上昇気流（自然対流）が発生する。そして、ボイド空間２０に上昇気流が発生すると、連通口１１を通じて居室１０の空気をボイド空間２０に取り込みながら、ボイド空間２０の空気を上方の屋外排気口２１を通じて屋外６０へ排出する換気を行うことができる。
尚、ボイド空間２０における屋外６０に対する温度差（以下、「ボイド空間温度差」と呼ぶ場合がある。）に起因して発生する上昇気流を利用した自然換気を重力換気と呼ぶ。
しかしながら、ボイド空間温度差がこのような重力換気を行うのに十分なものではない場合には、ボイド空間２０を利用した自然換気を実行することができない。
そこで、本実施形態の自然換気システムは、詳細については後述するが、ボイド空間温度差の減少に伴って開閉ダンパ１２を閉状態に切り替えて連通口１１を閉鎖させる連通部閉鎖制御を実行する制御装置５０を備えたものとして構成されている。
【００２１】
この建物１００には、各階の居室１０として、複数階のうちの上層階側である上層階側居室１０ａや、それよりも下層階側の下層階側居室１０ｂが存在する。各階の居室１０の天井裏空間等には、ボイド空間２０に連通する連通口１１が設けられており、天井面に設けられた天井排気口１３を通じて居室１０が連通口１１に連通する。この連通口１１には、制御装置５０により開閉制御可能な開閉ダンパ１２が設けられている。そして、この開閉ダンパ１２を開閉させることで、連通口１１の状態が、空気の通過を許容する開放状態と空気の通過を禁止する閉鎖状態とで切り替えられる。
【００２２】
各階の居室１０には、屋外６０と直接連通する給気口１４が設けられている。この給気口１４には、制御装置５０により開閉制御可能な開閉ダンパ１５が設けられている。そして、この開閉ダンパ１５を開閉させることで、給気口１４の状態が、空気の通過を許容する開放状態と空気の通過を禁止する閉鎖状態とで切り替えられる。
尚、この給気口１４に設けられた開閉ダンパ１５は、例えば、連通口１１に設けられた開閉ダンパ１２と連動して開閉される。このことにより、居室１０の空気が連通口１１を通じてボイド空間２０に排出されることに伴って、屋外６０の新鮮な空気が給気口１４から居室１０に取り込まれることになる。
また、このような居室１０には、個別の空調装置１８が適宜設置されている。
【００２３】
ボイド空間２０には、当該ボイド空間２０の温度を計測可能なボイド空間温度センサ５１が設けられている。また、このボイド空間温度センサ５１は、代表的な単一の箇所に設けても構わないが、本実施形態では、複数のボイド空間温度センサ５１が、上下方向に沿って分散配置されている。そして、制御装置５０は、これら複数のボイド空間温度センサ５１の夫々の計測結果を取得し、それらの平均値をボイド空間温度として認識することができる。
【００２４】
建物１００の屋上部等には、屋外６０の温度を計測可能な屋外温度センサ５２や、屋外６０の風速を計測可能な風速計測器５３が設けられている。そして、制御装置５０は、屋外温度センサ５２の計測結果を屋外温度として取得し、風速計測器５３の計測結果を屋外風速として取得することができる。
【００２５】
この建物１００の例えば１階部分には、機械室３０が設けられており、制御装置５０は、その機械室３０に設置されている。このような機械室３０には、図示は省略するが、管理システム関連機器、通信ネットワーク関連機器、中央空調システム関連機器等の各種機器が設置されており、これら機器の排熱により機械室３０の空気は昇温する。
そして、機械室３０には、このような排熱を含む機械室３０の空気を外部に排出するための排気ファン３５が設けられている。排気ファン３５による機械室３０の空気の排気状態は、制御装置５０によるバルブ３１，３３の開閉制御により、排気ダクト３２を通じて屋外６０に排気する状態と、排気ダクト３４を通じてボイド空間２０に排気する状態との間で切替可能に構成されている。
即ち、この機械室３０は、排熱を発生すると共に当該排熱をボイド空間２０に導入可能な排熱発生部となる。
尚、本実施形態では、機械室３０を排熱発生部としているが、建物１００において排熱が発生する別の箇所を排熱発生部としても構わない。例えば、各居室１０やトイレなどを排熱発生部としても良く、また、各居室１０に設置された空調装置１８を排熱発生部としても構わない。
【００２６】
以上のような自然換気システムでは、ボイド空間温度差が小さく、ボイド空間２０において生じる上昇気流が弱い場合に、屋外６０に連通する屋外排気口２１に近いボイド空間２０の上層部において局所的に空気が降下する逆流が発生することが懸念される。そして、このような逆流が連通口１１を通じて屋内の居室１０に吹き込むことで、居室１０の快適性が損なわれる。
そこで、本実施形態の自然換気システムは、省エネルギー性を向上しながら、ボイド空間２０において上昇気流が不十分なことによるボイド空間２０から居室１０への空気の逆流を防止して居室１０の快適性の悪化を防止するための構成を有しており、その詳細について以下に説明を加える。
【００２７】
ボイド空間２０の上方において屋外６０に開放される屋外排気口２１は、上方に向かう水平方向に沿った開口として形成されており、それにより屋外６０での風力によりボイド空間２０の空気を屋外６０に誘引するように構成されている。
このことで、ボイド空間温度差が比較的小さいためにボイド空間２０において温度差による重力換気に十分な上昇気流の発生が見込めない場合であっても、屋外６０の風速が比較的高い場合には、その屋外排気口２１による誘引力によってボイド空間２０に上昇気流が発生する。そして、ボイド空間２０に上昇気流が発生すると、連通口１１を通じて居室１０の空気をボイド空間２０に取り込みながら、ボイド空間２０の空気を上方の屋外排気口２１を通じて屋外６０へ排出する換気を行うことができる。
尚、屋外６０での風力に起因して発生する上昇気流を利用した自然換気を風力換気と呼ぶ。
【００２８】
そして、制御装置５０は、以下に説明する制御フローを実行することで、重力換気と風力換気とを適宜行って、屋内居室１０の快適性確保と省エネルギー性の向上が実現されている。以下、制御装置５０により実行される制御フローの詳細について説明する。
【００２９】
〔第１実施形態〕
先ず、第１実施形態での制御装置５０による制御フローについて、図２及び図３に基づいて説明する。
本実施形態において、制御装置５０は、図２に示す制御フローを実行する。この制御フローでは、先ず、風速計測器５３により屋外風速が計測され（ステップ＃０１）、その計測結果により屋外６０が強風状態であるか弱風状態であるかが判定される（ステップ＃０２）。例えば、このステップ＃０２の判定処理では、屋外排気口２１による誘引力によってボイド空間２０に風力換気に十分な上昇気流が発生するときの屋外風速の下限値（例えば２ｍ／ｓ）を設定風速として、屋外風速が、その設定風速以上であるときには強風状態であると判定され、その設定風速未満であるときには弱風状態であると判定される。
【００３０】
そして、上記ステップ＃０２において弱風状態であると判定された場合には、後述する連通部閉鎖制御が実行される（ステップ＃０４）。
一方、上記ステップ＃０２において強風状態であると判定された場合には、その連通部閉鎖制御が実行されずに、全階の居室１０（上層階側居室１０ａ及び下層階側居室１０ｂ）における連通口１１を開放させる全階連通部開放処理が実行される（ステップ＃０３）。即ち、強風時には、屋外排気口２１による誘引力によってボイド空間２０に十分な上昇気流が生じるので、全階において居室１０の連通口１１が開放されて風力換気が行われる。
【００３１】
次に、上記ステップ＃０２において弱風状態であると判定された場合に実行される連通部閉鎖制御（ステップ＃０４）の制御フローを、図３に基づいて説明する。
かかる連通部閉鎖制御では、先ず、ボイド空間温度センサ５１によりボイド空間２０の温度であるボイド空間温度Ｔｖが計測され、屋外温度センサ５２により屋外６０の温度である屋外温度Ｔｏが計測される（ステップ＃１１）。
そして、ボイド空間温度Ｔｖからの屋外温度Ｔｏの差分（Ｔｖ−Ｔｏ）が、屋外６０に対するボイド空間２０の温度差であるボイド空間温度差ΔＴとして求められる（ステップ＃１２）。
【００３２】
そして、ボイド空間温度差ΔＴが、所定の第１設定温度差Ｔ１ａ（例えば２℃）以上である（ステップ＃１３のＹｅｓ）場合には、全階の居室１０（上層階側居室１０ａ及び下層階側居室１０ｂ）における連通口１１を開放させる全階連通部開放処理が実行される（ステップ＃１４）。即ち、ボイド空間温度差ΔＴが第１設定温度差Ｔ１ａ以上の比較的高い場合には、その屋外６０に対する温度差によってボイド空間２０に十分な上昇気流が生じるので、全階連通部開放処理が実行されることで、全階において居室１０の連通口１１が開放されて、ボイド空間温度差により発生する上昇気流を利用した重力換気が行われる。
【００３３】
ボイド空間温度差ΔＴが、第１設定温度差Ｔ１ａ未満であり（ステップ＃１３のＮｏ）、且つ当該第１設定温度差Ｔ１ａよりも小さい所定の第２設定温度差Ｔ１ｂ（例えば０℃）以上である（ステップ＃１５のＹｅｓ）場合には、複数階のうちの上層階側居室１０ａにおける連通口１１を閉鎖させると共に下層階側居室１０ｂにおける連通口１１を開放させる上層連通部閉鎖処理が実行される（ステップ＃１６）。即ち、ボイド空間温度差ΔＴが、第２設定温度差Ｔ１ｂ以上ではあるもののその第１設定温度差Ｔ１ａ未満である場合には、ボイド空間２０において屋外６０に連通する屋外排気口２１に近い上層部において逆流が発生し、その逆流が上層階側居室１０ａへ流入する可能性がある。そのような場合に、上層連通部閉鎖処理が実行されて、上層階側居室１０ａにおける連通口１１が閉鎖されるので、ボイド空間２０から上層階側居室１０ａへの逆流の発生が防止される。一方、下層階側居室１０ｂでは、連通口１１が開放されるので、下層階側居室１０ｂの屋内空気が連通口１１からボイド空間２０に流入して適切な重力換気が行われることになる。
【００３４】
ボイド空間温度差ΔＴが、第２設定温度差Ｔ１ｂ未満である（ステップ＃１５のＮｏ）場合には、全階の居室１０（上層階側居室１０ａ及び下層階側居室１０ｂ）における連通口１１を閉鎖させる全階連通部閉鎖処理が実行される（ステップ＃１７）。即ち、ボイド空間温度差ΔＴが非常に小さい第２設定温度差Ｔ１ｂ未満となった場合には、ボイド空間２０の全体において居室１０への逆流が発生し、その逆流が居室１０に流入する可能性がある。そのような場合に、全階連通部閉鎖処理が実行されて、全階の居室１０における連通口１１が閉鎖されるので、全階においてボイド空間２０から居室１０への逆流の発生が防止される。
【００３５】
更に、上記ステップ＃１７において全階連通部閉鎖処理が実行されて全階の居室１０における連通口１１が閉鎖された場合において、ボイド空間温度差ΔＴが、上記第２設定温度差Ｔ１ｂよりも小さい所定の第３設定温度差Ｔ１ｃ（例えば−２℃）未満である（ステップ＃１８のＮｏ）場合には、機械室３０の空気をボイド空間２０へ供給する形態で、機械室３０で発生した排熱をボイド空間２０に導入させる排熱導入処理が実行される（ステップ＃１９）。すると、ボイド空間２０に面する壁部等には機械室３０の排熱が蓄熱されることになり、その結果、ボイド空間温度差ΔＴが増加する。よって、ボイド空間２０において温度差による十分な上昇気流が生じることになり、次に居室１０の連通口１１が開放された際には、居室１０の屋内空気を連通口１１からボイド空間２０に流入させて適切な重力換気を行うことができる。
尚、本実施形態では、全階連通部閉鎖処理の実行により連通口１１が閉鎖された場合であっても、ボイド空間温度差ΔＴが第３設定温度差Ｔ１ｃ以上である（ステップ＃１８のＹｅｓ）場合には、このような排熱導入処理は実行せずに、機械室３０の空気を屋外６０へ排気している。しかし、連通口１１が閉鎖された場合には必ず機械室３０の空気をボイド空間２０へ流入させる排熱導入処理を実行するようにしても構わない。
【００３６】
〔第２実施形態〕
次に、第２実施形態での制御装置５０による制御フローについて、図４及び図５に基づいて説明する。
本実施形態において、制御装置５０は、図４に示す制御フローを実行する。この制御フローでは、先ず、内蔵する時計（図示省略）を参照して日中であるか否かが判定される（ステップ＃２１）。例えば、午前６時頃から午後６時頃までが日中として判定され、午後６時から翌日の午前６時までが夜間として判定される。
【００３７】
そして、上記ステップ＃２１において夜間であると判定された（ステップ＃２１のＮｏ）場合には、例えば全階の居室１０の連通口１１を開放させるパージ処理が実行される（ステップ＃２６）。そして、その前の日中においては、後述する排熱導入処理（図５のステップ＃３７）が適時実行されて、屋外６０に対するボイド空間２０の温度差が大きい状態に維持されている。よって、夜間においては、ボイド空間２０において温度差による十分な上昇気流が生じることになるので、パージ処理を実行して連通口１１を開放すると、居室１０の屋内空気を連通口１１からボイド空間２０に流入させて適切な重力換気を行うことができる。
【００３８】
一方、上記ステップ＃２１において日中であると判定された（ステップ＃２１のＹｅｓ）場合には、以下の処理フローが実行される。
即ち、上記第１実施形態と同様に、風速計測器５３により屋外風速が計測され（ステップ＃２２）、その計測結果により屋外６０が強風状態であるか弱風状態であるかが判定される（ステップ＃２３）。
そして、上記ステップ＃２３において弱風状態であると判定された場合には、後述する連通部閉鎖制御が実行される（ステップ＃２５）。
一方、上記ステップ＃２３において強風状態であると判定された場合には、上記第１実施形態と同様に、その連通部閉鎖制御が実行されずに、全階連通部開放処理が実行されて（ステップ＃２４）、屋外排気口２１の誘引力によりボイド空間２０に発生する上昇気流を利用した風力換気が行われる。
【００３９】
次に、上記ステップ＃２３において弱風状態であると判定された場合に実行される連通部閉鎖制御（ステップ＃２５）の制御フローを、図５に基づいて説明する。
かかる連通部閉鎖制御では、先ず、ボイド空間温度センサ５１によりボイド空間２０の温度であるボイド空間温度Ｔｖが計測され、屋外温度センサ５２により屋外６０の温度である屋外温度Ｔｏが計測される（ステップ＃３１）。
そして、ボイド空間温度Ｔｖからの屋外温度Ｔｏの差分（Ｔｖ−Ｔｏ）が、屋外６０に対するボイド空間２０の温度差であるボイド空間温度差ΔＴとして求められる（ステップ＃３２）。
【００４０】
そして、ボイド空間温度差ΔＴが、所定の第１設定温度差Ｔ２ａ（例えば２℃）以上である（ステップ＃３３のＹｅｓ）場合には、全階の居室１０（上層階側居室１０ａ及び下層階側居室１０ｂ）における連通口１１を開放させる上記第１実施形態と同様の全階連通部開放処理が実行されて（ステップ＃３４）、全階の居室１０において、ボイド空間温度差によりボイド空間２０に発生する上昇気流を利用した重力換気が行われる。
【００４１】
ボイド空間温度差ΔＴが、第１設定温度差Ｔ２ａ未満である（ステップ＃３３のＮｏ）場合には、全階の居室１０（上層階側居室１０ａ及び下層階側居室１０ｂ）における連通口１１を閉鎖させる上記第１実施形態と同様の全階連通部閉鎖処理が実行されて（ステップ＃３５）、全階においてボイド空間２０から居室１０への逆流の発生が防止される。
【００４２】
更に、上記ステップ＃３５において全階連通部閉鎖処理が実行されて全階の居室１０における連通口１１が閉鎖された場合において、ボイド空間温度差ΔＴが、上記第１設定温度差Ｔ２ａよりも小さい所定の第２設定温度差Ｔ２ｂ（例えば０℃）未満である（ステップ＃３６のＮｏ）場合には、機械室３０の空気をボイド空間２０へ供給する形態で、機械室３０で発生した排熱をボイド空間２０に導入させる上記第１実施形態と同様の排熱導入処理が実行されて（ステップ＃３７）、ボイド空間温度差ΔＴが増加される。よって、ボイド空間２０において温度差による十分な上昇気流が生じることになり、夜間にパージ処理（図４のステップ＃２６）が実行されて、居室１０の屋内空気を連通口１１からボイド空間２０に流入させて適切な重力換気を行うことができる。
尚、本実施形態では、全階連通部閉鎖処理の実行により連通口１１が閉鎖された場合であっても、ボイド空間温度差ΔＴが第２設定温度差Ｔ２ｂ以上である（ステップ＃３６のＹｅｓ）場合には、このような排熱導入処理は実行せずに、機械室３０の空気を屋外６０へ排気している。しかし、連通口１１が閉鎖された場合には必ず機械室３０の空気をボイド空間２０へ流入させる排熱導入処理を実行するようにしても構わない。
【００４３】
〔別実施形態〕
本発明の他の実施形態について説明する。尚、以下に説明する各実施形態の構成は、それぞれ単独で適用することに限らず、他の実施形態の構成と組み合わせて適用することも可能である。
【００４４】
（１）上記第１実施形態では、ボイド空間温度差ΔＴが第１設定温度差Ｔ１ａ未満であり且つ第２設定温度差Ｔ１ｂ以上である場合に実行する上層連通部閉鎖処理（図３のステップ＃１６）では、上層階側居室１０ａにおける連通口１１を閉鎖させると共に、上層階側居室１０ａよりも下層側の全ての下層階側居室１０ｂにおける連通口１１を開放させるように構成したが、ボイド空間温度差ΔＴに応じて設定した一部の階の下層階側居室１０ｂにおける連通口１１を開放させるように構成しても構わない。例えば、下層階側居室１０ｂとして中層階側と低層階側とが存在する場合に、ボイド空間温度差ΔＴが第１設定温度差未満Ｔ１ａ且つ第２設定温度差Ｔ１ｂ以上の範囲内において小さめの場合には、中層階での逆流を抑制するべく中層階側の下層階側居室１０ｂの連通口１１を閉鎖しながら、低層階側の下層階側居室１０ｂの連通口１１のみを開放する状態としても構わない。
【００４５】
（２）上記実施形態では、連通口１１が閉鎖している連通部閉鎖時において機械室３０等の排熱発生部の排熱をボイド空間２０に導入する排熱導入処理を実行するように構成したが、このような排熱導入処理を省略しても構わない。
【００４６】
（３）上記第２実施形態では、日中において排熱導入処理（図５のステップ＃３７）を適時実行し、夜間においてパージ処理（図４のステップ＃２６）を実行するように構成したが、このような排熱導入処理を行う時間帯や、パージ処理を行う時間帯については、適宜変更することができる。また、状況に応じて排熱導入処理とパージ処理とを時間で切り替えるようにしてもよい。
【００４７】
（４）上記実施形態では、全階連通部閉鎖処理（図３のステップ＃１７、図５のステップ＃３５）が実行されて全階の居室１０における連通口１１が閉鎖された場合において、排熱導入処理（図３のステップ＃１９、図５のステップ＃３７）を適時実行するように構成したが、一部の階又は全階において連通口１１を開放させて重力換気を行っている状態で、排熱導入処理を適時実行するように構成しても構わない。例えば、ボイド空間においてボイド空間温度差が比較的小さい箇所近傍の連通口については閉鎖しながら、ボイド空間においてボイド空間温度差が比較的大きい箇所近傍の連通口については開放させて当該連通口を介した重力換気を行うように構成しても構わない。
【符号の説明】
【００４８】
１０    居室（屋内）
１０ａ  上層階側居室
１０ｂ  下層階側居室
１１    連通口（連通部）
２０    ボイド空間
２１    屋外排気口（排気部）
３０    機械室（排熱発生部）
５０    制御装置（制御手段）
６０    屋外
１００  建物
Ｔ１ａ  第１設定温度差
Ｔ１ｂ  第２設定温度差
Ｔｏ    屋外温度
Ｔｖ    ボイド空間温度
ΔＴ    ボイド空間温度差
【図１】
0006987675.tif 000002
【図２】
0006987675.tif 000003
【図３】
0006987675.tif 000004
【図４】
0006987675.tif 000005
【図５】
0006987675.tif 000006